(57)【要約】【課題】  円柱状の食品の表面にマーク等の所望の形状の切り目の付与を大量生産で迅速に行う食品加工装置及び食品の製造方法を提供する。【解決手段】  食品加工装置１は、食品が通過する、食品７０の表面に所望の形状の切り目を付するカッター部７を有する切り目付与部５と、無端状のベルトコンベア２１の搬送面となって食品７０を搬送するベルトコンベア搬送部２０とからなる切り目加工部３を備え、食品７０はベルトコンベア２１の駆動により、切り目加工部３の間を、切り目加工部３に挟持されつつ食品７０の円柱部分の周方向に沿って回転しつつ通過し、食品の表面にマーク等の所望の形状の切り目を付与する。【選択図】図１
2019010684.tif 000002
【特許請求の範囲】
【請求項１】
円柱状の食品の表面に所望の形状の切り目を付与する食品加工装置であって、
当該食品加工装置は、前記食品が通過する、対向する一の平面部と他の平面部との一対の平面部が配され、
当該一対の平面部の互いの距離は、前記食品の円柱状部分の直径と同距離又は当該直径よりも小さく構成され、
前記一の平面部は前記他の平面部側に突出し、前記食品の表面に付する前記所望の形状の切り目に応じた位置に配されたカッター部を有し、
前記他の平面部は無端状のベルトコンベアの搬送面となって前記食品を搬送可能であり、
前記食品は前記ベルトコンベアの駆動により、前記一対の平面部の間を、当該一対の平面部に挟持されつつ前記食品の円柱部分の周方向に沿って回転しつつ通過可能であることを特徴とする食品加工装置。
【請求項２】
前記ベルトコンベアは、前記食品を上方から下方に搬送し、
前記食品加工装置は、互いの距離が前記食品の直径よりも小さく、水平方向に並列して配されて水平方向に前記食品を搬送する紐状の２本の無端ベルトと、
当該２本の無端ベルトを介して前記一対の平面部の間の搬送路の入口と対向して配され、上下動作により、前記２本の無端ベルト間に載置されて、当該２本の無端ベルトの駆動により搬送されてきた前記食品を下方に押して、当該食品を前記２本の無端ベルトの撓みにより、当該２本の無端ベルトの間を介して前記食品を前記入口に供給するプッシャー部とを備えることを特徴とする請求項１に記載の食品加工装置。
【請求項３】
前記ベルトコンベアは、前記食品を上方から下方に搬送し、
前記食品加工装置は、互いの距離が前記食品の直径よりも小さく、水平方向に並列して配されて水平方向に前記食品を搬送する紐状の２本の無端ベルトと、
当該２本の無端ベルトを介して前記一対の平面部の間の搬送路の入口と対向して配され、前記２本の無端ベルト間に載置されて、当該２本の無端ベルトの駆動により搬送されてきた前記食品に抵触することにより当該食品を下方に押して、当該食品を前記２本の無端ベルトの撓みにより、当該２本の無端ベルトの間を介して前記食品を前記入口に供給するガイド部とを備えることを特徴とする請求項１に記載の食品加工装置。
【請求項４】
前記カッター部は、前記一の平面部において、前記食品の表面に付する前記所望の形状の切り目の位置に応じて壁面状にブレード部が立設され、
当該ブレード部の先端には、所定の間隔でブレード部の突出方向にさらに突出する針部が配されていることを特徴とする請求項１乃至請求項３のうち、いずれか１に記載の食品加工装置。
【請求項５】
前記食品は、前記一対の平面部の間を通過することにより、前記カッター部により表面に所望の形状の切り目が付与されることを特徴とする請求項１乃至請求項４のうち、いずれか１に記載の食品加工装置。
【請求項６】
前記食品は、ソーセージであることを特徴とする請求項１乃至請求項５のうち、いずれか１に記載の食品加工装置。
【請求項７】
前記ソーセージは表面の皮に切り目を付与された後、加熱されることにより、切り目が開いて内部の肉が露出することを特徴とする請求項６に記載の食品加工装置。
【請求項８】
所望の形状の切り目が表面に付与された円柱状の食品の製造方法であって、
前記食品が通過する、対向する一の平面部と他の平面部との一対の平面部が配され、
当該一対の平面部の互いの距離は、前記食品の円柱状部分の直径と同距離又は当該直径よりも小さく構成され、
前記一の平面部は前記他の平面部側に突出し、前記食品の表面に付する前記所望の形状の切り目に応じた位置に配されたカッター部を有し、
前記他の平面部は無端状のベルトコンベアの搬送面となって前記食品を搬送可能である
食品加工装置により、
前記食品を前記ベルトコンベアの駆動により、前記一対の平面部の間を、当該一対の平面部で挟持、かつ、前記食品の円柱部分の周方向に沿って回転しつつ通過させて所望の形状の切り目を表面に付与することを特徴とする食品の製造方法。
【請求項９】
前記ベルトコンベアは、前記食品を上方から下方に搬送し、
前記食品加工装置は、さらに、互いの距離が前記食品の直径よりも小さく、水平方向に並列して配されて水平方向に前記食品を搬送する紐状の２本の無端ベルトと、
当該２本の無端ベルトを介して前記一対の平面部の間の搬送路の入口と対向して配され、上下動作により、前記２本の無端ベルト間に載置されて、当該２本の無端ベルトの駆動により搬送されてきた前記食品を下方に押して、当該食品を前記２本の無端ベルトの撓みにより、当該２本の無端ベルトの間を介して前記食品を前記入口に供給するプッシャー部とを備え、
前記食品を前記２本の無端ベルトの駆動により搬送し、
その後、前記プッシャー部より前記２本の無端ベルトの間を介して前記食品を前記入口に供給して、
その後、前記食品を前記ベルトコンベアの駆動により、前記一対の平面部の間を、当該一対の平面部で挟持、かつ、前記食品の円柱部分の周方向に沿って回転しつつ通過させて所望の形状の切り目を表面に付与することを特徴とする請求項８に記載の食品の製造方法。
【請求項１０】
前記ベルトコンベアは、前記食品を上方から下方に搬送し、
前記食品加工装置は、さらに、互いの距離が前記食品の直径よりも小さく、水平方向に並列して配されて水平方向に前記食品を搬送する紐状の２本の無端ベルトと、
当該２本の無端ベルトを介して前記一対の平面部の間の搬送路の入口と対向して配され、前記２本の無端ベルト間に載置されて、当該２本の無端ベルトの駆動により搬送されてきた前記食品に抵触することにより当該食品を下方に押して、当該食品を前記２本の無端ベルトの撓みにより、当該２本の無端ベルトの間を介して前記食品を前記入口に供給するガイド部とを備え、
前記食品を前記２本の無端ベルトの駆動により搬送し、
その後、前記ガイド部より前記２本の無端ベルトの間を介して前記食品を前記入口に供給して、
その後、前記食品を前記ベルトコンベアの駆動により、前記一対の平面部の間を、当該一対の平面部で挟持、かつ、前記食品の円柱部分の周方向に沿って回転しつつ通過させて所望の形状の切り目を表面に付与することを特徴とする請求項８に記載の食品の製造方法。
【請求項１１】
前記カッター部は、前記一の平面部において、前記食品の表面に付する前記所望の形状の切り目の位置に応じて壁面状にブレード部が立設され、
当該ブレード部の先端には、所定の間隔でブレード部の突出方向にさらに突出する針部が配されていることを特徴とする請求項８乃至請求項１０のうち、いずれか１に記載の食品の製造方法。
【請求項１２】
前記食品は、ソーセージであることを特徴とする請求項８乃至請求項１１のうち、いずれか１に記載の食品の製造方法。
【請求項１３】
前記ソーセージは表面の皮に切り目を付与された後、加熱されることにより、切り目が開いて内部の肉が露出することを特徴とする請求項１２に記載の食品の製造方法。
【発明の詳細な説明】
【技術分野】
【０００１】
本発明は、ソーセージ等の円柱状の食品の表面に所望の形状の切り目を付与する食品加工装置及び表面に所望の形状の切り目が付与された食品の製造方法に関し、特に、ソーセージ等に切り目を付与するためのワークスペースが少なくて済み、装置の小型化が可能であり、さらに、安定して切り目を付与することが可能な大量生産に適した食品加工装置及び食品の製造方法に関する。
【背景技術】
【０００２】
ソーセージ等の食肉加工品は、切り目を入れて加熱すると、皮と肉との収縮率の不均一さから変形を起こすことが知られており、切り目を入れて、蛸や蟹のイメージのある形状を作ることが行われている。
【０００３】
特許文献１には、加熱調理後いわゆるタコウインナーとなる切り目入ソーセージを効率よくかつ衛生的に製造することができる切り目入ソーセージの製造装置が開示されている。
【０００４】
特許文献１よれば、切り目入ソーセージの製造装置は、複数本のソーセージを立設状態に保持することができる、幅方向に複数の収容穴を有するブロックを搬送するブロックコンベアと、カッティングステーションの所定位置に配設されている、ソーセージの下部を切断して切り目を入れる複数のカッターと、ブロックコンベア上のピックアップステーションの所定位置で、ソーセージを上方から挟持して、カッティングステーションまで移送し、カッティングステーションで挟持したソーセージの下部を複数回所定の角度で切断して複数本の切り目を入れることができるように、カッティングステーション内でソーセージを回転するロボットとを備えている。
【０００５】
特許文献１の切り目入ソーセージの製造装置は、ピックアップステーションの所定位置とカッティングステーションの所定位置とが対応した位置関係にあることを特徴としている。
【０００６】
例えば、ピックアップステーションの所定位置が、幅方向に２個のソーセージ収容穴を有する前後２つのブロックにおける収容穴の中心が正方形の４角となる位置関係の場合、カッティングステーションの所定位置は４つのカッターの中心（切断されるソーセージの中心に相当する位置）が、正方形の４角と合同な位置関係となるとき、対応した位置関係にあるということができる。
【０００７】
この場合は、ピックアップステーションで４本のソーセージが挟持ホルダーにより挟持され、カッティングステーションにおける２回の切断（ロータリーホルダーが１回９０度回転）により、４本足のタコウインナーを得ることができる。次いで、ブロックコンベアが２ピッチ前進することにより、前後２つのブロックの計４本のソーセージ（４個の正方形の角の位置関係）がカッティングステーションに移送されることになる。
【０００８】
また、内部にマーク等を形取った刃を有する型に、ソーセージを入れて切り目を付けることも可能である。しかしながら、ソーセージの表面に切り目を付けるために、型の蓋を開いてソーセージをセットし、蓋を閉じて切り目を入れて、その後型の蓋を開いてソーセージを取り出すようにすることとなる。このように、型へのソーセージの出し入れや蓋の開閉等を行って、切り目を形成する必要がある。このため、さらなる効率化を図り、ソーセージの表面のマーク等の切り目の付与を大量生産で迅速に行うことが求められている。
【先行技術文献】
【特許文献】
【０００９】
【特許文献１】特開２００７−２１６７３号公報
【発明の概要】
【発明が解決しようとする課題】
【００１０】
このように、ソーセージ等の食肉加工品は、切り目を入れて加熱すると、皮と肉との収縮率の不均一さから変形を起こすことを利用して、蛸や蟹のイメージのある形状を作ることがなされている。
【００１１】
しかしながら、従来の切り目入ソーセージの製造装置では、切り目を入れるカッターを回転させ、ソーセージを所定の角度、回転させてソーセージの下部に切り目を入れるため、ソーセージの長手方向の表面に、形を成す切り目を付与することができなかった。
【００１２】
このため、従来の切り目入ソーセージの製造装置では、ソーセージなどの食品の表面に所望の形状の切り目、例えば、ハート形状から成るマーク、メッセージなどを表現する文字等を付すことが困難であった。
【００１３】
一方、ソーセージ等の表面に所望の形状の切り目を付与することができれば、ソーセージ等の食品を加熱することで、前もって食品の表面に付与した切り目が開いて、内部の肉が露出することによりマーク、文字列の形状が鮮明となるため、料理中にわくわく感を与えることができ、さらに、ソーセージに華やかさを与えることができるため、デザイン性のあるソーセージを提供することができる。
【００１４】
そこで、本発明は、食品が通過し、対向する一の平面部と他の平面部とを配し、一の平面部は他の平面部側に突出し、食品の表面に付する所望の形状の切り目に応じた位置に配されたブレード部を有するカッター部を設けるようにし、他の平面部にベルトコンベアの搬送面を設けて円柱状の食品を回転させながら、食品の表面に所望の形状の切り目を付与することができ、大量生産が可能な食品加工装置及び食品の製造方法を提供することを目的とする。
【課題を解決するための手段】
【００１５】
上記目的達成のため、本発明に係る食品加工装置は、円柱状の食品の表面に所望の形状の切り目を付与する食品加工装置であって、当該食品加工装置は、前記食品が通過する、対向する一の平面部と他の平面部との一対の平面部が配され、当該一対の平面部の互いの距離は、前記食品の円柱状部分の直径と同距離又は当該直径よりも小さく構成され、前記一の平面部は前記他の平面部側に突出し、前記食品の表面に付する前記所望の形状の切り目に応じた位置に配されたカッター部を有し、前記他の平面部は無端状のベルトコンベアの搬送面となって前記食品を搬送可能であり、前記食品は前記ベルトコンベアの駆動により、前記一対の平面部の間を、当該一対の平面部に挟持されつつ前記食品の円柱部分の周方向に沿って回転しつつ通過可能であることを特徴とする。
【００１６】
また、本発明の前記ベルトコンベアは、前記食品を上方から下方に搬送し、前記食品加工装置は、互いの距離が前記食品の直径よりも小さく、水平方向に並列して配されて水平方向に前記食品を搬送する紐状の２本の無端ベルトと、当該２本の無端ベルトを介して前記一対の平面部の間の搬送路の入口と対向して配され、上下動作により、前記２本の無端ベルト間に載置されて、当該２本の無端ベルトの駆動により搬送されてきた前記食品を下方に押して、当該食品を前記２本の無端ベルトの撓みにより、当該２本の無端ベルトの間を介して前記食品を前記入口に供給するプッシャー部とを備えることを特徴とする。
【００１７】
また、本発明の前記ベルトコンベアは、前記食品を上方から下方に搬送し、前記食品加工装置は、互いの距離が前記食品の直径よりも小さく、水平方向に並列して配されて水平方向に前記食品を搬送する紐状の２本の無端ベルトと、当該２本の無端ベルトを介して前記一対の平面部の間の搬送路の入口と対向して配され、前記２本の無端ベルト間に載置されて、当該２本の無端ベルトの駆動により搬送されてきた前記食品に抵触することにより当該食品を下方に押して、当該食品を前記２本の無端ベルトの撓みにより、当該２本の無端ベルトの間を介して前記食品を前記入口に供給するガイド部とを備えることを特徴とする。
【００１８】
また、本発明の前記カッター部は、前記一の平面部において、前記食品の表面に付する前記所望の形状の切り目の位置に応じて壁面状にブレード部が立設され、当該ブレード部の先端には、所定の間隔でブレード部の突出方向にさらに突出する針部が配されていることを特徴とする。
【００１９】
また、本発明の前記食品は、前記一対の平面部の間を通過することにより、前記カッター部により表面に所望の形状の切り目が付与されることを特徴とする。
また、本発明の前記食品は、ソーセージであることを特徴とする。
【００２０】
また、本発明の前記ソーセージは表面の皮に切り目を付与された後、加熱されることにより、切り目が開いて内部の肉が露出することを特徴とする。
【００２１】
上記目的達成のため、本発明に係る食品の製造方法は、所望の形状の切り目が表面に付与された円柱状の食品の製造方法であって、前記食品が通過する、対向する一の平面部と他の平面部との一対の平面部が配され、当該一対の平面部の互いの距離は、前記食品の円柱状部分の直径と同距離又は当該直径よりも小さく構成され、前記一の平面部は前記他の平面部側に突出し、前記食品の表面に付する前記所望の形状の切り目に応じた位置に配されたカッター部を有し、前記他の平面部は無端状のベルトコンベアの搬送面となって前記食品を搬送可能である食品加工装置により、前記食品を前記ベルトコンベアの駆動により、前記一対の平面部の間を、当該一対の平面部で挟持、かつ、前記食品の円柱部分の周方向に沿って回転しつつ通過させて所望の形状の切り目を表面に付与することを特徴とする。
【００２２】
また、本発明の前記ベルトコンベアは、前記食品を上方から下方に搬送し、前記食品加工装置は、さらに、互いの距離が前記食品の直径よりも小さく、水平方向に並列して配されて水平方向に前記食品を搬送する紐状の２本の無端ベルトと、当該２本の無端ベルトを介して前記一対の平面部の間の搬送路の入口と対向して配され、上下動作により、前記２本の無端ベルト間に載置されて、当該２本の無端ベルトの駆動により搬送されてきた前記食品を下方に押して、当該食品を前記２本の無端ベルトの撓みにより、当該２本の無端ベルトの間を介して前記食品を前記入口に供給するプッシャー部とを備え、
前記食品を前記２本の無端ベルトの駆動により搬送し、その後、前記プッシャー部より前記２本の無端ベルトの間を介して前記食品を前記入口に供給して、その後、前記食品を前記ベルトコンベアの駆動により、前記一対の平面部の間を、当該一対の平面部で挟持、かつ、前記食品の円柱部分の周方向に沿って回転しつつ通過させて所望の形状の切り目を表面に付与することを特徴とする。
【００２３】
また、本発明の前記ベルトコンベアは、前記食品を上方から下方に搬送し、前記食品加工装置は、さらに、互いの距離が前記食品の直径よりも小さく、水平方向に並列して配されて水平方向に前記食品を搬送する紐状の２本の無端ベルトと、当該２本の無端ベルトを介して前記一対の平面部の間の搬送路の入口と対向して配され、前記２本の無端ベルト間に載置されて、当該２本の無端ベルトの駆動により搬送されてきた前記食品に抵触することにより当該食品を下方に押して、当該食品を前記２本の無端ベルトの撓みにより、当該２本の無端ベルトの間を介して前記食品を前記入口に供給するガイド部とを備え、前記食品を前記２本の無端ベルトの駆動により搬送し、その後、前記ガイド部より前記２本の無端ベルトの間を介して前記食品を前記入口に供給して、その後、前記食品を前記ベルトコンベアの駆動により、前記一対の平面部の間を、当該一対の平面部で挟持、かつ、前記食品の円柱部分の周方向に沿って回転しつつ通過させて所望の形状の切り目を表面に付与することを特徴とする。
【発明の効果】
【００２４】
本発明によれば、食品加工装置及び食品の製造方法は、食品が通過する、対向する一の平面部と他の平面部との互いの距離が、食品の円柱状部分の直径と同距離又は当該直径よりも小さく構成された一対の平面部を配し、一の平面部は他の平面部側に突出し、食品の表面に所望の形状の切り目を付するカッター部を有し、他の平面部は無端状のベルトコンベアの搬送面となって食品を搬送し、食品はベルトコンベアの駆動により、一対の平面部の間を、一対の平面部に挟持されつつ食品の円柱部分の周方向に沿って回転しつつ通過するため、食品の表面に所望の切り目を付与することができ、大量生産が可能となる。さらに、食品の円柱表面の全体にも、所望の切り目を付与することが可能となる。
【００２５】
また、本発明によれば、一対の平面部のベルトコンベアは、食品を上方から下方に搬送し、食品加工装置は、互いの距離が食品の直径よりも小さく、水平方向に並列して配されて水平方向に食品を搬送する紐状の２本の無端ベルトと、２本の無端ベルトを介して一対の平面部の間の搬送路の入口と対向して配され、上下動作により、２本の無端ベルト間に載置されて、２本の無端ベルトの駆動により搬送されてきた食品を下方に押して、食品を２本の無端ベルトの撓みにより、２本の無端ベルトの間を介して食品を一対の平面部の間の搬送路の入口に供給するプッシャー部とを備えることにより、水平状態で搬送された食品をプッシャー部により下方に押し出すことができて、容易に食品の搬送方向を変えることができるため、切り目を付するカッター部等のワークスペースを少なくすることが可能となる。
【００２６】
また、本発明によれば、食品を水平状態のまま落下させることが可能である。このため、正確な位置に落下させることにより、食品の表面に所望の形状の切り目を付与することが可能となる。
【００２７】
また、本発明によれば、食品加工装置及び食品の製造方法は、水平状態で搬送された食品を下方に押し出すプッシャー部に代えて、２本の無端ベルトの駆動により搬送されてきた食品に抵触することにより食品を下方に押して、食品を前記２本の無端ベルトの撓みにより、２本の無端ベルトの間を介して食品を一対の平面部の間の搬送路の入口に供給するガイド部を備えることにより、プッシャー部等の押し出し機構が不要となり、ガイド部の構成を簡素化することができる。
【００２８】
また、本発明によれば、食品加工装置及び食品の製造方法におけるカッター部は、一の平面部において、食品の表面に付する所望の形状の切り目の位置に応じて壁面状にブレード部が立設され、食品の表面に付する所望の形状の切り目に応じた位置に壁面状にブレード部が立設され、ブレード部の先端には、所定の間隔でブレード部の突出方向にさらに突出する針部が配されており、ブレード部の先端の針部によって確実に食品の表面に所望の形状の切り目を付与することが可能となる。特に、食品がソーセージである場合、針部によりソーセージの皮を確実に突き破ることができるため、ソーセージの表面に所望の形状の切り目を付与することが可能となる。
【００２９】
また、本発明によれば、食品加工装置は、食品が一対の平面部の間を通過することにより、カッター部により表面に切り目が付与できるため、カッター部の交換のみで食品の表面に所望の形状の切り目を付与することが可能となる。
【００３０】
また、本発明によれば、流れ作業中に切り目の付与ができ、従来のように作業の一端を止めたりしないため、大量生産が可能となる。
【００３１】
また、本発明によれば、円柱状の食品であるソーセージは表面の皮に切り目を付与された後、加熱することのみで、切り目が開いて内部の肉が露出して、ソーセージの表面に所定の形状のマーク、文字等が表れるので、調理者自身が切り目を入れる必要がない。
【００３２】
また、本発明によれば、ソーセージは表面の皮に切り目を付与された後、加熱することのみで、ソーセージに華やかさを与えることができるため、デザイン性のあるソーセージを提供することができる。
【００３３】
また、本発明によれば、加熱することのみで、ソーセージに華やかさを与えることができるため、子供に料理をさせる食育に適しており、子供に料理の楽しさを教え、また、料理への興味を持たせて、子供が調理するときに、どのような模様が出るのかを期待するわくわく感を与えることができる。
【００３４】
また、本発明によれば、食品加工装置及び食品の製造方法により円柱状のソーセージのケーシングの表面に切り目を付けることにより、ケーシングに設けた切り目から加熱時に脂肪分を含む肉汁がケーシングの表面ににじみ出て、表面に潤いを持たせて、見栄えを良くすることができるとともに、ジューシー感を増すことができる。
【００３５】
さらに、本発明によれば、ソーセージのケーシングの全周囲の所望の位置に、所望の形状の切り目を付与することができるため、食事中のわくわく感に加え、多数の切り目を形成することにより、ソーセージの食感の調整及び改善や、噛み切り易さの調整及び向上を図ることにも利用可能である。
【図面の簡単な説明】
【００３６】
【図１】本発明に係る食品加工装置の構成の一例を示す斜視図である。
【図２】本発明に係る食品加工装置の切り目加工部の構成を示す側面図である。
【図３】（ａ）は、カッター部に星のマークを形成したブレード部の形状の一例を示す平面図、（ｂ）は、カッター部の正面図である。
【図４】（ａ）は、図３（ｂ）に示すブレード部の一部を点線の楕円で示した領域Ａのカッター部の構成を示す拡大図、（ｂ）は、図４（ａ）に示す切断線Ａ−Ａにおける断面図である。
【図５】（ａ）は、プッシャー部に代えて、２本の無端ベルトの間を介して食品を切り目加工部の間の搬送路の入口に供給する第２の実施形態におけるガイド部の構成を示す図、（ｂ）は、図５（ａ）に示す矢印Ｂから見たソーセージと、無端ベルトと、ガイド部との位置関係を示す図である。
【図６】（ａ）は、食品加工装置によってウインナーソーセージに星のマークを付した状態を示す図であり、（ｂ）は、星のマークを付したウインナーソーセージを加熱した後の状態を示す図である。
【図７】本発明に係る食品加工装置における食品の表面に切り目を付与する一連の工程の流れを示す図である。
【発明を実施するための形態】
【００３７】
以下図面を参照して、本発明による食品加工装置及び食品の製造方法を実施するための形態について説明する。尚、本発明は、食品が通過し、対向する一の平面部と他の平面部とが配され、一の平面部は他の平面部側に突出し、食品の表面に付する所望の形状の切り目に応じた位置に配されたブレード部を有するカッター部を設けるようにし、他の平面部にベルトコンベアの搬送面を設けて円柱状の食品を回転させながら、食品の表面に所望の形状の切り目を付与することにより、表面に所望の形状の切り目を付与した食品の大量生産が可能となる。
【００３８】
［食品加工装置の第１の実施形態の構成］
食品加工装置の第１の実施形態の構成を図１及び図２を用いて説明する。図１は、本発明に係る食品加工装置の構成の一例を示す斜視図、図２は、本発明に係る食品加工装置の切り目加工部の構成を示す側面図である。
【００３９】
図１に示すように、食品加工装置１は、食品が通過して食品の表面に所望の形状の切り目を付与する一対の平面部としての切り目加工部３と、切り目加工部３に食品を搬送する紐状の２本の無端ベルト３２、３３を有する食品搬送部３０と、食品搬送部３０の２本の無端ベルト３２、３３を介して食品を切り目加工部３の間の搬送路の入口２７に供給するプッシャー部５０とを有している。
【００４０】
［切り目加工部の構成］
最初に、食品加工装置における一対の平面部としての切り目加工部について説明する。図２に示すように、食品加工装置１における切り目加工部３は、食品７０が通過して食品７０の表面に所望の形状の切り目を付するカッター部７を有する対向する一の平面部としての切り目付与部５と、無端状のベルトコンベア２１の搬送面となって食品７０を搬送する他の平面部としてのベルトコンベア搬送部２０とを備えている。
【００４１】
図１及び図２に示すように、食品加工装置１における切り目付与部５は、円柱状の食品７０の表面に所望の形状の切り目を付与するカッター部７を有している。また。切り目付与部５は、カッター部７を取り付けるカッター部取付枠６を有している。
【００４２】
カッター部取付枠６は、略平板の形状を成し、その平面が垂直方向になるように設置されている。カッター部取付枠６は、外周が枠体を形成し、枠体内部は空間となっている。カッター部取付枠６における上部の枠体６ａ及び下部の枠体６ｂは、その端面から中心に向かって傾斜面となっており、中心に向かって枠体の厚みが増すように設けられている。カッター部取付枠６の上部の枠体６ａ及び下部の枠体６ｂが、傾斜面を有することにより、食品７０の切り目加工部３への搬送時の出し入れをスムーズに行うことができる。
【００４３】
カッター部取付枠６の枠体には、シャーシー１５に固定されている。また、カッター部取付枠６の枠体内部の空間には、食品７０の表面に所望の形状の切り目を付するカッター部７が取り付けられている。
【００４４】
以下の説明では、円柱状の食品はソーセージであり、ソーセージは、調味料、添加物等を加えて練り上げた肉練り上げられた肉をケージングに充填したものであり、表面は羊腸またはコラーゲンケージング等の皮で覆われているものをいう。
【００４５】
図３（ａ）は、カッター部に星のマークを形成したブレード部の形状の一例を示す平面図、図３（ｂ）は、カッター部の正面図である。図４（ａ）は、図３（ｂ）に示すブレード部の一部を点線の楕円で示した領域Ａのカッター部の構成を示す拡大図、図４（ｂ）は、図４（ａ）に示す切断線Ａ−Ａにおける断面図である。
【００４６】
図２に示すように、カッター部７は、他の平面部としてのベルトコンベア搬送部２０側に突出している。図３（ａ）及び図３（ｂ）に示すように、カッター部７は、プレート部８とブレード部９とからなり、基体部を成すプレート部８上に食品の表面に所望の形状の切り目を付する位置に応じた壁面状に付するブレード部９が立設されている。図３（ａ）には星のマークを形成したブレード部９の形状を示す。
【００４７】
また、図４（ａ）示すように、カッター部７におけるプレート部８の厚さ（図４に示すａ）は、例えば、２．４ｍｍであり、カッター部７におけるブレード部９の高さ（図４に示すｂ）は、例えば、３．５ｍｍである。
【００４８】
カッター部７のブレード部９の先端には、所定の間隔でブレード部９の突出方向にさらに突出する針部１０が配されている。例えば、ブレード部９に設けられた針部１０は、側面視でその先端の長さ（図４に示すｅ）が、０．５ｍｍで、谷（底部）の長さ（図４に示すｆ）が１ｍｍで、針部１０の高さ（図４に示すｇ）が、１ｍｍのピッチでそれぞれが形成されている。
【００４９】
図４（ｂ）示すように、カッター部７のブレード部９は、ブレード部９の突出方向に三角形状を成し、針部１０の先端である三角形の頂点の成す角度（図４（ｂ）に示すθ）は、例えば１０度で形成されている。
【００５０】
図３に示すように、ブレード部９の領域の大きさ（図３に示す符号ｗ）は、ソーセージの長手方向の長さに相当する幅を有し、ソーセージ表面の外周の長さに相当する高さ（図３に示す符号ｈ）を有している。例えば、ソーセージの直径の大きさが１７ｍｍの場合には、ブレード部９の高さｈは、約５３ｍｍである。
【００５１】
一方、切り目加工部３におけるベルトコンベア搬送部２０は、無端状のベルトコンベア２１が搬送面となって食品を上方から下方に搬送するものである。図２に示すように、切り目付与部５とベルトコンベア搬送部２０との互いの距離（図２に示す符号ｄ）は、食品の円柱状部分の直径と同距離又は当該直径よりも小さく構成されている。例えば、ソーセージの直径の大きさが１７ｍｍの場合には、切り目付与部５とベルトコンベア搬送部２０との互いの距離ｄは、１７ｍｍ以下に設定される。
【００５２】
また、図２に示すように、ベルトコンベア搬送部２０は、食品を搬送するベルトコンベア２１と、回転軸を有する回転駆動ローラ２２と、回転軸を介して回転駆動ローラ２２を駆動するモータ２３（図１に示す）と、回転駆動ローラ２２と対をなす回転ローラ２４と、回転駆動ローラ２２と回転ローラ２４との間に設けられたベルトコンベア支持部２５とを有している。
【００５３】
ソーセージ等の食品７０を搬送するベルトコンベア２１は、その幅が、ソーセージ７０の長手方向の長さ以上を有し、ベルトコンベア２１のソーセージ７０と接する表面には、ソーセージ７０との密着性を高めるために、例えば、網目模様の突起が設けられており、ベルトコンベア２１の移動に伴ってソーセージ７０を回転させながら搬送することができる。
【００５４】
ベルトコンベア２１は、回転駆動ローラ２２と回転ローラ２４との間に張設されており、回転駆動ローラ２２を駆動するモータ２３が回転することにより、ベルトコンベア２１が移動する。
【００５５】
また、回転駆動ローラ２２と回転ローラ２４との間には、直方体状のベルトコンベア支持部２５が設けられている。ベルトコンベア支持部２５は、ベルトコンベア２１が移動するときに、ベルトコンベア２１の裏面とベルトコンベア支持部２５の表面とが接触し、カッター部７に搬送中のソーセージ等の食品によってベルトコンベア２１が撓むことがないように、食品がカッター部７に密着するようにベルトコンベア２１を支持する。
【００５６】
このように、ソーセージ等の食品はベルトコンベア２１の駆動により、切り目付与部５とベルトコンベア搬送部２０との切り目加工部３の間に挟持されつつ食品の円柱部分の周方向に沿って回転しつつ通過する。これにより、食品は回転しながらカッター部７を通過、搬送されるため、食品の表面に、カッター部７に設けられた形状の切り目を付与することができる。
【００５７】
［切り目加工部の変形例］
図１及び図２に示す切り目加工部３は、食品の長手方向を水平に保ちつつ、食品を上方から垂直方向に下方に搬送して、カッター部７で食品の表面に切り目を付与する形態を示した。これに対して、切り目加工部は、食品の長手方向を水平に保ちつつ、食品の長手方向と垂直を成す水平方向に、食品を搬送することも可能である。
【００５８】
即ち、他の実施形態としての切り目付与部５は、食品が通過し、食品の表面に所望の形状の切り目を付するカッター部７を食品が移動する水平状態に設けるようにする。また、食品を搬送するベルトコンベア搬送部２０は、食品が水平状態で回転しながら移動するようにベルトコンベアの搬送面が水平に移動するように設ける。
【００５９】
即ち、図１及び図２に示す切り目加工部３を、切り目加工部における食品の入口を支点として、９０度持ち上げるように回転した状態である。切り目加工部の入口に搬送された食品を切り目加工部側に押し出して、切り目加工部３に食品を供給する。
【００６０】
このように、変形例としての切り目加工部は、ベルトコンベア搬送部２０によって搬送された食品が水平方向に、水平状態で回転しながら移動することにより、カッター部７で食品の表面に切り目が付与される。
【００６１】
以上述べたように、食品加工装置１におけるカッター部７を有する切り目付与部５は、食品が通過する、対向する一の平面部に相当し、ベルトコンベア搬送部２０は、無端状のベルトコンベア２１の搬送面となって食品を搬送する他の平面部に相当する。さらに、切り目加工部３は、平面部と他の平面部との一対の平面部に相当する。
【００６２】
［食品搬送部の構成］
次に、切り目加工部にソーセージ等の食品を搬送する食品搬送部について説明する。図１及び図２に示すように、食品加工装置１における食品搬送部３０は、紐状の２本の無端ベルト３２、３３を備え、互いの距離が食品の直径よりも小さく、水平方向に並列して配されて水平方向に食品を搬送する。食品搬送部３０は、ソーセージ供給部（図示せず）から一列に並べられて供給される食品であるソーセージを一定の間隔を保ちながら、紐状の２本の無端ベルト３２、３３で切り目加工部３の上部まで搬送する。
【００６３】
図１に示すように、食品搬送部３０は、紐状の２本の無端ベルト３２、３３と、回転軸を有する回転駆動ローラ３７と、回転軸を介して回転駆動ローラ３７を駆動するモータ３８と、回転駆動ローラ３７と対をなす回転ローラ３９と、ソーセージ供給部からの食品の落下を防止する食品落下防止柵４２と、回転駆動ローラ３７と回転ローラ３９との間に設けられたベルト支持部４０、４１と、無端ベルトに張力を与えながら回転するプーリー３４とを有している。
【００６４】
回転駆動ローラ３７と回転ローラ３９とのそれぞれの両端近くには溝が設けられており、回転駆動ローラ３７と回転ローラ３９との溝に無端ベルト３２、３３の各ベルトが掛けられている。これによって２本の無端ベルト３２、３３は、同一方向に、同一速度で移動する。
【００６５】
無端ベルト３２、３３は、丸ベルトであり、弾力性を有する材質が用いられている。これにより、食品を搬送中の無端ベルト３２、３３は、食品が上部から押されることにより、撓んで食品を切り目加工部３の間の搬送路の入口に落下させることができる。
【００６６】
無端ベルト３２、３３は、回転駆動ローラ３７と対をなす回転ローラ３９との間に張設されており、回転駆動ローラ３７側が無端ベルト３２、３３の始端となり、回転ローラ３９側が終端となる。回転ローラ３９側に到着した無端ベルト３２、３３は、回転ローラ３９によって回転駆動ローラ３７側に戻るように移動方向が変わる。戻り時の無端ベルト３２、３３（図１に点線で示す）は、食品を搬送中の無端ベルト３２、３３の位置より下部側に設けられたプーリー３４の上部の溝を通過して回転駆動ローラ３７に戻る。
【００６７】
また、食品搬送部３０は、回転駆動ローラ３７側から無端ベルト３２、３３に添って食品の落下を防止する食品落下防止柵４２が設けられている。ソーセージ供給部から一列に並べられて供給されるソーセージは、一定の間隔で食品落下防止柵４２上の無端ベルト３２、３３で搬送される。
【００６８】
無端ベルト３２、３３のソーセージは、一方のベルト支持部４０上を通過して、切り目加工部３の上部まで搬送される。ベルト支持部４０、４１は、切り目加工部３の上部を挟んでほぼ対称な位置に設けられている。無端ベルト３２、３３は、一対のベルト支持部４０、４１によって切り目加工部３の上部を水平状態で移動する。
【００６９】
回転ローラ３９によって下部側を通過する無端ベルト３２、３３は、プーリー３４によりの２本の無端ベルト３２、３３の互いの距離が食品の直径を超える距離となるように設定されている。これは、無端ベルト３２、３３により搬送されたソーセージを切り目加工部３に供給されて落下する際に、ソーセージが、戻り時の下部側に位置する無端ベルト３２、３３に接触しないようにするためである。
【００７０】
［プッシャー部の構成］
次に、２本の無端ベルトの駆動により搬送されてきた食品を下方に押して、２本の無端ベルトの間を介して食品を切り目加工部の間の搬送路の入口に供給するプッシャー部について説明する。
【００７１】
図１及び図２に示すように、プッシャー部５０は、食品搬送部３０の２本の無端ベルト３２、３３を介して切り目加工部３の間の搬送路の入口２７と対向して配されている。切り目加工部３の間の搬送路の入口２７と対向して配されたプッシャー部５０は、上下動作により、２本の無端ベルト３２、３３間に載置されて、２本の無端ベルト３２、３３により搬送されてきた食品を下方に押して、食品を２本の無端ベルト３２、３３の撓みにより、２本の無端ベルト３２、３３の間を介して食品切り目加工部３の間の搬送路の入口２７に供給する。
【００７２】
プッシャー部５０は、エアーによりシリンダを駆動するエアーシリンダ５１で構成され、エアーシリンダ５１のシリンダが上下方向に移動するようになっている。エアーシリンダ５１の先端部には、直方体を成す押し出し部材５２が取り付けられている。エアーシリンダ５１が動作することにより、押し出し部材５２が垂直に降下して、無端ベルト３２、３３によって搬送されて切り目加工部３上に位置したソーセージが、切り目加工部３の間の搬送路の入口２７に押し出される。無端ベルト３２、３３は、弾力性の素材で形成されているため、ソーセージが下方に押し出されることにより、無端ベルト３２、３３が撓んで、ソーセージが下方に押し出される。
【００７３】
図２に示す食品検出センサー６０は、食品搬送部３０の紐状の２本の無端ベルト３２、３３で搬送された食品が、切り目加工部３の間の搬送路の入口２７の上部に到達したかを検出し、プッシャー部５０に信号を発する。食品検出センサー６０は、プッシャー部５０の下方に設けられており、無端ベルト３２、３３で搬送されたソーセージの側面に検出光が照射できる高さに位置している。食品検出センサー６０は、ソーセージ側面からの反射光を検知して、ソーセージが切り目加工部３の上部に到達したことを検出する。
【００７４】
このように、プッシャー部５０は、食品検出センサー６０からの信号で、切り目加工部３の間の搬送路の入口２７に食品を供給するように動作する。
【００７５】
以上述べたように、食品加工装置１は、食品が通過する、食品の表面に所望の形状の切り目を付するカッター部７を有する一の平面部としての切り目付与部５と、無端状のベルトコンベア２１の搬送面となって食品を搬送する他の平面部としてのベルトコンベア搬送部２０とからなる切り目加工部３と、互いの距離が食品の直径よりも小さく、水平方向に並列して配されて水平方向に食品を搬送する紐状の２本の無端ベルト３２、３３を有する食品搬送部３０と、食品搬送部３０の２本の無端ベルト３２、３３を介して切り目加工部３の間の搬送路の入口２７と対向して配され、２本の無端ベルト３２、３３の間を介して食品を切り目加工部３の間の搬送路の入口２７に供給するプッシャー部５０とを備える。
【００７６】
尚、以上説明した食品を切り目加工部の間の搬送路の入口に供給するプッシャー部を含む食品加工装置１は、第１の実施形態を成すものである。
【００７７】
［食品加工装置の第２の実施形態］
また、２本の無端ベルト３２、３３の間を介して食品を切り目加工部３の間の搬送路の入口２７に供給する動作を、プッシャー部５０に代えて、他の形態でも実施することができる。以下に、プッシャー部の第２の実施形態としてのガイド部について図５を用いて説明する。
【００７８】
尚、食品を切り目加工部の間の搬送路の入口に供給するガイド部を含む食品加工装置２は、第２の実施形態を成すものであり、第１の実施形態とは、プッシャー部を除き、同一構成であるため、同一のものは説明を省略する。
【００７９】
図５（ａ）は、プッシャー部に代えて、２本の無端ベルトの間を介して食品を切り目加工部の間の搬送路の入口に供給する第２の実施形態におけるガイド部の構成を示す図、図５（ｂ）は、図５（ａ）に示す矢印Ｂから見たソーセージと、無端ベルトと、ガイド部との位置関係を示す図である。
【００８０】
図５（ａ）及び図５（ｂ）に示すように、第２の実施形態における食品加工装置２は、２本の無端ベルト３２、３３の間を介して食品を切り目加工部３の間の搬送路の入口に供給するガイド部６５を備える。ガイド部６５は、２本の無端ベルト３２、３３を介して切り目加工部３の間の搬送路の入口２７と対向して支持部材（図示せず）に固定されている。
【００８１】
２本の無端ベルト３２、３３間に載置されて、２本の無端ベルト３２、３３の駆動により搬送されてきたソーセージ７０は、ガイド部６５に抵触することによりソーセージ７０が下方に押され、ソーセージ７０を２本の無端ベルト３２、３３の撓みにより、切り目加工部３の間の搬送路の入口２７に供給する。
【００８２】
図５（ａ）及び図５（ｂ）に示すように、ガイド部６５は、ソーセージ７０の先端が切り目加工部３の間の搬送路の入口２７に搬送されてきたときに、ソーセージ７０の上部表面に接触して、食品を下に押し下げるガイド部材６６を有している。
【００８３】
ガイド部材６６は、２本の無端ベルト３２、３３を介して切り目加工部３上に設けられており、食品の長手方向の長さ以上の長さを有している。ガイド部材６６の入口付近は食品がスムーズに通過するように広めに開口しており、その内部は円柱状の食品の上部が収納されるように半楕円形状を成している。
【００８４】
ソーセージ７０は、ガイド部材６６によって下部側に徐々に押し下げられる。ソーセージ７０の長手方向の全体が、切り目加工部３の間の搬送路の入口２７に位置したときに、ソーセージ７０を載置している２本の無端ベルト３２、３３が撓んで、２本の無端ベルト３２、３３の間を介してソーセージ７０が切り目加工部の間の搬送路の入口２７に供給される。
【００８５】
このように、ガイド部６５を備えることにより、食品を切り目加工部３の間の搬送路の入口２７に押し出して供給するプッシャー部５０と、搬送路上の切り目加工部３の直上にソーセージ７０等の食品が到着したかを検出する食品検出センサー６０とが不要となる。
【００８６】
また、ガイド部６５を備えることにより、プッシャー部等の押し出し機構が不要となり、ガイド部の構成を簡素化することができる。
【００８７】
［ソーセージの切り目の付与例］
次に、本発明に係る食品加工装置を用いてウインナーソーセージに星のマークを付した状態について説明する。
【００８８】
図６（ａ）は、食品加工装置によってウインナーソーセージに星のマークを付した状態を示す図であり、（ｂ）は、星のマークを付したウインナーソーセージを加熱した後の状態を示す図である。
【００８９】
図６（ａ）に示すように、ウインナーソーセージ７０の長手方向の表面には、星のマークを付した切り目７５が付けられている。
【００９０】
また、図６（ｂ）に示すように、星のマークの切り目を付したウインナーソーセージ７０の加熱後の表面は、皮と肉との収縮率の不均一さから切り目が開いて符号８０ａに示すハンチング部のように内部の肉が露出して、加熱後の切り目８０から星のマークが鮮やかに表れている。尚、ソーセージの表面には、図６に示すようなマークに限らず、アルファベット等の文字、文字列の切り目を付与することもできる。
【００９１】
［食品加工装置及び食品の製造方法の切り目付与の工程］
次に、本発明に係る食品加工装置及び食品の製造方法における食品の表面に切り目を付与する一連の工程の流れを図７を用いて説明する。図７は、本発明に係る食品加工装置１における食品の表面に切り目を付与する一連の工程の流れを示す図である。尚、以下の説明では、食品としてソーセージを例に説明する。
【００９２】
最初に、図７に示すように、ソーセージ供給部から一列に並べられて供給されるソーセージを一定の間隔を保ちながら、紐状の２本の無端ベルト３２、３３上に供給する（ステップＳ１）。
【００９３】
次に、ソーセージは、２本の無端ベルト３２、３３によって切り目加工部３側に搬送される（ステップＳ２）。食品検出センサー６０は、無端ベルト３２、３３によりソーセージが切り目加工部３上に搬送されたかを検出する（ステップＳ３）。
【００９４】
食品検出センサー６０は、無端ベルト３２、３３上のソーセージを検出したときに、検出信号をプッシャー部５０側に出力する（ステップＳ４）。プッシャー部５０は、 食品検出センサー６０からの検出信号を受信したことを確認後に、一定時間経過後にエアーシリンダ５１を動作させて、押し出し部材５２を下方に押し出す（ステップＳ５）。
【００９５】
無端ベルト３２、３３上のソーセージは、エアーシリンダ５１によって下方に押し出されて、切り目加工部３の間の搬送路の入口２７に供給される（ステップＳ６）。
【００９６】
切り目加工部３の間の搬送路の入口２７に供給されたソーセージは、ベルトコンベア搬送部２０と切り目付与部５との間をベルトコンベア２１により下方へ搬送される（ステップＳ７）。
【００９７】
ソーセージは、ベルトコンベア２１により回転しながらカッター部７を通過する（ステップＳ８）。このとき、ソーセージの表面にはカッター部７によって切り目が付与される。
【００９８】
カッター部７によって切り目が付与されたソーセージは、切り目加工部３の搬送路の出口から排出される（ステップＳ９）。
【００９９】
このように、食品加工装置は、ソーセージ製造の搬送ラインに容易に組み込むことが可能であるため、ソーセージ供給部から供給されたソーセージに所定の形状の切り目を付与することができ、大量生産が可能となる。
【０１００】
以上述べたように、本発明によれば、食品加工装置及び食品の製造方法は、食品が通過する、対向する一の平面部と他の平面部との互いの距離が、食品の円柱状部分の直径と同距離又は当該直径よりも小さく構成された一対の平面部を配し、一の平面部は他の平面部側に突出し、食品の表面に所望の形状の切り目を付するカッター部を有し、他の平面部は無端状のベルトコンベアの搬送面となって食品を搬送し、食品はベルトコンベアの駆動により、一対の平面部の間を、一対の平面部に挟持されつつ食品の円柱部分の周方向に沿って回転しつつ通過するため、食品の表面に所望の切り目を付与することができ、大量生産が可能となる。さらに、食品の円柱表面の全体にも、所望の切り目を付与することが可能となる.
【０１０１】
また、本発明によれば、一対の平面部のベルトコンベアは、食品を上方から下方に搬送し、食品加工装置は、互いの距離が食品の直径よりも小さく、水平方向に並列して配されて水平方向に食品を搬送する紐状の２本の無端ベルトと、２本の無端ベルトを介して一対の平面部の間の搬送路の入口と対向して配され、上下動作により、２本の無端ベルト間に載置されて、２本の無端ベルトの駆動により搬送されてきた食品を下方に押して、食品を２本の無端ベルトの撓みにより、２本の無端ベルトの間を介して食品を一対の平面部の間の搬送路の入口に供給するプッシャー部とを備えることにより、水平状態で搬送された食品をプッシャー部により下方に押し出すことができて、容易に食品の搬送方向を変えることができるため、切り目を付するカッター部等のワークスペースを少なくすることが可能となる。
【０１０２】
また、本発明によれば、食品を水平状態のまま落下させることが可能である。このため、正確な位置に落下させることにより、食品の表面に所望の形状の切り目を付与することが可能となる。
【０１０３】
また、本発明によれば、食品加工装置及び食品の製造方法は、水平状態で搬送された食品を下方に押し出すプッシャー部に代えて、２本の無端ベルトの駆動により搬送されてきた食品に抵触することにより食品を下方に押して、食品を前記２本の無端ベルトの撓みにより、２本の無端ベルトの間を介して食品を一対の平面部の間の搬送路の入口に供給するガイド部を備えることにより、プッシャー部等の押し出し機構が不要となり、ガイド部の構成を簡素化することができる。
【０１０４】
また、本発明によれば、食品加工装置及び食品の製造方法におけるカッター部は、一の平面部において、食品の表面に付する所望の形状の切り目の位置に応じて壁面状にブレード部が立設され、食品の表面に付する所望の形状の切り目に応じた位置に壁面状にブレード部が立設され、ブレード部の先端には、所定の間隔でブレード部の突出方向にさらに突出する針部が配されており、ブレード部の先端の針部によって確実に食品の表面に所望の形状の切り目を付与することが可能となる。特に、食品がソーセージである場合、針部によりソーセージの皮を確実に突き破ることができるため、ソーセージの表面に所望の形状の切り目を付与することが可能となる。
【０１０５】
また、本発明によれば、食品加工装置は、食品が一対の平面部の間を通過することにより、カッター部により表面に切り目が付与できるため、カッター部の交換のみで食品の表面に所望の形状の切り目を付与することが可能となる。
【０１０６】
また、本発明によれば、流れ作業中に切り目の付与ができ、従来のように作業の一端を止めたりしないため、大量生産が可能となる。
【０１０７】
また、本発明によれば、円柱状の食品であるソーセージは表面の皮に切り目を付与された後、加熱することのみで、切り目が開いて内部の肉が露出して、ソーセージの表面に所定の形状のマーク、文字等が表れるので、調理者自身が切り目を入れる必要がない。
【０１０８】
また、本発明によれば、ソーセージは表面の皮に切り目を付与された後、加熱することのみで、ソーセージに華やかさを与えることができるため、デザイン性のあるソーセージを提供することができる。
【０１０９】
また、本発明によれば、加熱することのみで、ソーセージに華やかさを与えることができるため、子供に料理をさせる食育に適しており、子供に料理の楽しさを教え、また、料理への興味を持たせて、子供が調理するときに、どのような模様が出るのかを期待するわくわく感を与えることができる。
【０１１０】
また、本発明によれば、食品加工装置及び食品の製造方法により円柱状のソーセージのケーシングの表面に切り目を付けることにより、ケーシングに設けた切り目から加熱時に脂肪分を含む肉汁がケーシングの表面ににじみ出て、表面に潤いを持たせて、見栄えを良くすることができる。
【０１１１】
また、本発明によれば、食品加工装置及び食品の製造方法により円柱状のソーセージのケーシングに切り目を付けることにより、ケーシングに設けた切り目から加熱時に脂肪分を含む肉汁がケーシングの表面ににじみ出て、ジューシー感を増すことができる。
【０１１２】
さらに、本発明によれば、ソーセージのケーシングの全周囲の所望の位置に、所望の形状の切り目を付与することができるため、食事中のわくわく感に加え、多数の切り目を形成することにより、ソーセージの食感の調整及び改善や、噛み切り易さの調整及び向上を図ることにも利用可能である。
【０１１３】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１１４】
１、２      食品加工装置
３          切り目加工部（一対の平面部）
５          切り目付与部（一の平面部）
６          カッター部取付枠
６ａ        上部の枠体
６ｂ        下部の枠体
７          カッター部
８          プレート部（基体部）
９          ブレード部（壁面状）
１０        針部
１５        シャーシー
２０        ベルトコンベア搬送部（他の平面部）
２１        ベルトコンベア（搬送面）
２２        回転駆動ローラ
２３、３８  モータ
２４        回転ローラ
２５        ベルトコンベア支持部
２７        搬送路の入口
３０        食品搬送部
３２、３３  無端ベルト（丸ベルト）
３４        プーリー
３７        回転駆動ローラ
３９        回転ローラ
４０、４１  ベルト支持部
４２        食品落下防止柵
５０        プッシャー部
５１        エアーシリンダ
５２        押し出し部材
６０        食品検出センサー
６５        ガイド部
６６        ガイド部材
７０        食品（ソーセージ）
７５        加熱前の切り目
８０        加熱後の切り目
８０ａ      露出した内部の肉
【図１】
2019010684.tif 000003
【図２】
2019010684.tif 000004
【図３】
2019010684.tif 000005
【図４】
2019010684.tif 000006
【図５】
2019010684.tif 000007
【図６】
2019010684.tif 000008
【図７】
2019010684.tif 000009
【手続補正書】
【提出日】平成29年6月30日(2017.6.30)
【手続補正１】
【補正対象書類名】明細書
【補正対象項目名】００４４
【補正方法】変更
【補正の内容】
【００４４】
以下の説明では、円柱状の食品はソーセージであり、ソーセージは、調味料、添加物等を加えて練り上げた肉をケージングに充填したものであり、表面は羊腸またはコラーゲンケージング等の皮で覆われているものをいう。